(57)【要約】【課題】従来の雨水浸透システムに比べて、施工コストをあまり大きくかけることなく、しかも、雨水浸透マスの設置個数を増やすことがなくて、雨水浸透マスからの地中への雨水の浸透量を増やすことができる雨水浸透システムを提供することを目的としている。【解決手段】縦樋2aの縦樋本体部21の下端を雨水浸透マス3aに接続する一方、縦樋本体部21の上端部にじょうご下部流出口21aを設け、降雨時は、雨水浸透マス3a内から縦樋本体部21のじょうご下部流出口21aまでは満水状態にされ、じょうご下部流出口21aからオーバーフローした雨水をじょうご下部流出口21aに接続された分岐縦樋部22から排出するようにした。【選択図】      図２
2011074563.tif 000002
【特許請求の範囲】
【請求項１】
屋根に降った雨水を、縦樋を介して地中に埋設された雨水浸透マスに流入させて、地中に浸透させるようにした雨水浸透システムにおいて、
前記縦樋は、下端が前記雨水浸透マスに接続され、上端部にじょうご下部流出口を有する縦樋本体部と、
前記じょうご下部流出口からオーバーフローした雨水を排出する分岐縦樋部とを備え、
降雨時は、前記雨水浸透マス内から前記縦樋本体部のじょうご下部流出口までは満水状態にされていることを特徴とする雨水浸透システム。
【請求項２】
雨水浸透マスが、上面にマス内部を臨む点検口を有するとともに、この点検口を水密に塞ぐ蓋を備えている請求項１に記載の雨水浸透システム。
【発明の詳細な説明】
【技術分野】
【０００１】
本発明は、雨水の浸透効率が高い雨水浸透システムに関する。
【背景技術】
【０００２】
都市部では、舗装化が進み、地表に降った雨は、殆ど地中に浸透することなく、雨水配管経路を介して河川に流れ込む。
したがって、集中豪雨などがあると、すぐに河川が増水して河川の洪水を招くおそれがたかくなっている。
【０００３】
特に、昨今は、地球温暖化などの環境変化によって集中豪雨の頻度も増加している。
また、雨水が地中に殆ど浸透しないことから、地下水の枯渇による地盤沈下などの問題も発生する。
【０００４】
そこで、図９に示すような雨水浸透マス１００を利用した雨水浸透システムが既に提案され（特許文献１参照）、自治体によっては、新築や増改築の場合、このような雨水浸透マスの設置を義務付けたり、設置にあたり助成金を設けていたりする。
すなわち、降雨時、雨水は、建物の屋根から軒下の雨樋３００、縦樋４００を経由して、地中に埋設された雨水マス・管から下水管渠へ流下するが、雨水浸透マス１００は、図９に示すように、マス１００の地中に埋設された部分の周壁に小さな孔が多数貫通されていて、縦樋４００の下端に接続された配管から流入した雨水をこの小さな孔から地中に浸透させ、余剰の雨水を配管２００を介して下水管渠へ流下させるようにしている。
【先行技術文献】
【特許文献】
【０００５】
【特許文献１】特許第４１３８９９４号公報
【発明の概要】
【発明が解決しようとする課題】
【０００６】
ところで、従来の雨水浸透システムでは、１つの雨水浸透マス１００での浸透量が十分ではなく、同じ敷地内に縦樋毎に複数の雨水浸透マス１００を設ける必要がでてくる場合がある。
しかしながら、敷地によっては、多くの雨水浸透マス１００を設置できない場合があるとともに、設置する雨水浸透マス１００の数が増えると、マス材料費、設置工事費が嵩むという問題がある。
【０００７】
そこで、本発明の発明者は、雨水が地中に浸透する際に、その浸透量を左右する大きな要素としての、雨水浸透マス内の水圧に着目した。
すなわち、雨水が地中に浸透する際に、その浸透量を左右する大きな要素として、以下の３つの要素がある。
（１）浸透していく地中の地盤が透水しやすい土質か否か。
すなわち、雨水浸透マスの周辺の地盤の土粒子もしくは礫粒子が粗いほど透水しやすい。
（２）雨水浸透マスの周辺の地下水位が高いか低いか。
すなわち、雨水浸透マスの周辺の地下水位が高いと、雨水浸透マスから透出する水と地下水位の差が少ないため、水が逃げずに、その場所に貯留させることになり、浸透が困難となる。
（３）雨水浸透マス内の水圧が高いか低いか。
すなわち、雨水浸透マス内の透水壁にかかる水圧を高くすれば、浸透が速くなる。
【０００８】
しかしながら、上記（１）の要素の場合、浸透性能を上げるには、大掛かりな地盤改良が必要でコストがかかるとともに、地盤改良が不可能な場合があるために、雨水浸透マスの設置の制約条件となっている。また、（２）の要素の場合、浸透性能を上げるには、地下水位を下げる必要があるが、人為的に地下水位を下げることは困難である。
そこで、本発明の発明者は、上記（３）の要件である雨水浸透マス内の水圧を如何にして上げる事ができるか鋭意研究を重ねた結果、雨水浸透マス１００への雨水の流入水位を上げることができれば、水圧が高くなり、同じ容量の雨水浸透マスを用いても浸透量を上げることができることに想い到り、本発明を完成するに到った。
【０００９】
本発明は、上記事情に鑑みて、従来の雨水浸透システムに比べて、施工コストをあまり大きくかけることなく、しかも、雨水浸透マスの設置個数を増やすことがなくて、雨水浸透マスからの地中への雨水の浸透量を増やすことができる雨水浸透システムを提供することを目的としている。
【課題を解決するための手段】
【００１０】
上記目的を達成するために、本発明にかかる雨水浸透システムは、屋根に降った雨水を、縦樋を介して地中に埋設された雨水浸透マスに流入させて、地中に浸透させるようにした雨水浸透システムにおいて、前記縦樋は、下端が前記雨水浸透マスに接続され、上端部にじょうご下部流出口を有する縦樋本体部と、前記じょうご下部流出口からオーバーフローした雨水を排出する分岐縦樋部とを備え、降雨時は、前記雨水浸透マス内から前記縦樋本体部のじょうご下部流出口までは満水状態にされていることを特徴としている。
【００１１】
本発明において、雨水浸透マスは、マス内に流入した雨水がその上面からオーバーフロー不可状態にされていれば、特に限定されないが、上面にマス内部を臨む点検口を有するとともに、この点検口を水密に塞ぐ蓋を備えていることが好ましい。
また、雨水浸透マスの材質としては、特に限定されないが、コンクリート、樹脂、これらの複合材料が挙げられる。
【００１２】
雨水浸透マスの形状としては、特に限定されないが、例えば、円筒形、角筒形、これらの複合形状などが挙げられる。
【発明の効果】
【００１３】
本発明にかかる雨水浸透システムは、屋根に降った雨水を、縦樋を介して地中に埋設された雨水浸透マスに流入させて、地中に浸透させるようにした雨水浸透システムにおいて、
前記縦樋は、下端が前記雨水浸透マスに接続され、上端部にじょうご下部流出口を有する縦樋本体部と、前記じょうご下部流出口からオーバーフローした雨水を排出する分岐縦樋部とを備え、降雨時は、前記雨水浸透マス内から前記縦樋本体部のじょうご下部流出口までは満水状態にされているので、雨水浸透マスの設置個数を増やすことなく、また、施工コストをあまりかけずに、雨水浸透マスからの地中への雨水の浸透量を増やすことができる。
【００１４】
すなわち、この雨水浸透システムでは、豪雨などで雨水が縦樋本体部を介して雨水浸透マスに多量に流れ込んだ場合、マス内に流入した雨水がその上面からオーバーフロー不可状態にされているので、雨水浸透マスから溢れる雨水は、縦樋本体部内に溜まっていき、水位がじょうご下部流出口まで達すると、つぎつぎに雨樋から縦樋に流れ込む雨水は、じょうご下部流出口に連結された分岐縦樋部から下水管渠などに繋がる排水路に流れ込む。
また、このとき、縦樋本体部内には、じょうご下部流出口まで雨水が溜まった状態になっているので、雨水浸透マス内に溜まった雨水には、縦樋本体部のじょうご下部流出口までの間に溜まった雨水の重量分の水圧がかかる。したがって、従来の雨水浸透マスに比べ、雨水浸透マス内の水圧が高くなり、浸透速度が速くなる。結果として、雨水浸透マスの占有面積を少なくすることができる。また、分岐縦樋部を設けるだけでよいので、低コストで実現できる。
【図面の簡単な説明】
【００１５】
【図１】本発明の雨水浸透システムの第１の実施の形態であって、その施工状態を説明する斜視図である。
【図２】図１の雨水浸透システムの断面図である。
【図３】図１の雨水浸透システムの雨水浸透マスの上部断面拡大図である。
【図４】本発明の雨水浸透システムに用いる縦樋の第２の例であって、そのじょうご下部流出口部分の断面図である。
【図５】本発明の雨水浸透システムに用いる縦樋の第３の例であって、そのじょうご下部流出口部分の断面図である。
【図６】本発明の雨水浸透システムに用いる縦樋の第４の例であって、そのじょうご下部流出口部分の断面図である。
【図７】本発明の雨水浸透システムに用いる縦樋の第５の例であって、そのじょうご下部流出口部分の断面図である。
【図８】本発明の雨水浸透システムに用いる雨水浸透マスの第２の例を説明する斜視図である。
【図９】従来の雨水浸透システムの雨水浸透マス部分を説明する断面図である。
【発明を実施するための形態】
【００１６】
以下に、本発明を、その実施の形態をあらわす図面を参照しつつ詳しく説明する。
図１及び図２は、本発明にかかる雨水浸透システムの第１の実施の形態をあらわしている。
【００１７】
図１及び図２に示すように、雨水浸透システム１は、縦樋２aと、雨水浸透マス３aとを備えている。
縦樋２aは、縦樋本体部２１と、分岐縦樋部２２とを備えている。
【００１８】
縦樋本体部２１は、その下端が、後で詳述する雨水浸透マス３aの周壁３１aの上端部に配管Ｐ１を介して連結され、雨樋４から縦樋２aに流れ込んだ雨水Ｗを雨水浸透マス３aに流入させるようになっている。
分岐縦樋部２２は、縦樋本体部２１に雨樋４近傍に設けられたじょうご下部流出口２１ａに一端が連結され、縦樋本体部２１と平行に建物Ｂの外壁に沿って垂下されたのち、下水管渠等に繋がる排水路Ｐ２に接続されている。
【００１９】
雨水浸透マス３aは、塩化ビニル樹脂成形品であって、図２及び図３に示すように、有底の円筒状の本体部３１を有し、この本体部３１の周壁にφ２０ｍｍ程度の小孔３１aが多数穿設されている。
本体部３１の上端３２は、点検口３２ａを有する。この点検口３２ａには、蓋３３がネジ固定されて、点検口３２ａを水密に閉鎖している。
なお、図３中、３３ａは、シール用のOリングである。
【００２０】
そして、この雨水浸透マス３aは、以下のようにして地中に埋設されている。
すなわち、埋設部分をまず開削し、礫（砕石）５を開削部に敷詰めた後、礫５上に載置し、縦樋本体部２１に繋がる配管Ｐ１を接続したのち、本体部３１周壁の小孔３１ａ形成部の少し上まで礫５で囲まれるようにさらに礫５を敷詰める。そして、礫５の周囲を透水性シート５１上に非透水性シート（図示せず）を必要に応じて敷いたのち、その上に土Ｃを被せる、あるいは、コンクリート舗装する場合もある。なお、図２中、礫５を囲むように設けられた５１は透水性シート、５２は砂である。
【００２１】
この雨水浸透システム１は、以上のようになっているので、降雨時には、雨樋４から縦樋２a内に流入した雨水が、まず、縦樋本体部２１をとおり、雨水浸透マス３ａ内に入る。
そして、雨水浸透マス３ａに本体部３１周壁に穿設された小孔３１ａから周囲の礫５側に流れ出てその後地中に吸収される。
【００２２】
また、本体部３１点検口３２ａが蓋３３をねじ固定して水密に塞がれているので、豪雨などで多量に雨水浸透マス３a内に雨水が流れ込んできても、蓋３３が持ち上がって、点検口３２ａからあふれ出るということがない。
したがって、雨水浸透マス３ａから溢れる雨水は、縦樋本体部２１内に溜まっていき、水位がじょうご下部流出口２１ａまで達すると、じょうご下部流出口２１ａに連結された分岐縦樋部２２から下水管渠などに繋がる排水路に流れ込む。
【００２３】
また、このとき、縦樋本体部２１内には、じょうご下部流出口２１ａまで雨水が溜まった状態になっているので、雨水浸透マス３ａ内に溜まった雨水には、縦樋本体部２１のじょうご下部流出口２１ａまでの間に溜まった雨水の重量分の水圧がかかる。したがって、従来の雨水浸透マスに比べ、雨水浸透マス３a内の水圧が高くなり、浸透速度が速くなる。結果として、雨水浸透マス３aの占有面積を少なくすることができる。また、縦樋２aに余分に分岐縦樋部２２を設ける簡単な構成でよいので、低コストで実現できる。
【００２４】
なお、上記縦樋２aに代えて、例えば、図４〜図７に示すような構造の縦樋２ｂ〜２ｅを用いてもよい。
すなわち、図４に示すように、縦樋２ｂは、縦樋本体部２１に略Y字の分岐部２１ｂを設けじょうご下部流出口２１ａを形成した以外は、上記縦樋２aと同様になっている。
【００２５】
図５に示すように、縦樋２ｃは、縦樋本体部２１より小径の略Ｌ字形をした配管２３をその立管部２３ａが、縦樋本体部２１の中心に配置され、横管部２３ｂが縦樋本体部２１の壁面を貫通して外部に突出し、この横管部２３ｂに分岐縦樋部２２が接続されている。したがって、立管部２３ａの上端開口がじょうご下部流出口となっている。
【００２６】
図６に示すように、縦樋２ｄは、縦樋となる配管の中央部に雨樋近傍から下端まで隔壁２５を設けることによって、縦樋本体部２６と、分岐縦樋部２７が形成されている。そして、隔壁２５の上端がじょうご下部流出口になっている。
【００２７】
図７に示すように、縦樋２ｅは、分岐縦樋部２７の上方に雨樋４から流下してきた雨水を縦樋本体部２６側にガイドするガイド板２８を設けた以外は、上記縦樋２ｄと同様になっている。
【００２８】
図8は、雨水浸透マスの第２の例をあらわしている。
図８に示すように、この雨水浸透マス３ｂは、下部マス部３４と、上部マス部３５とを備えている。
【００２９】
下部マス部３４、本体部３６と透水性シート３７とから構成されている。
本体部３６は、塩化ビニル樹脂成形品であって、周壁３６ａに小孔３６ｂが設けられた四角筒状をしている。透水性シート３７は、小孔３６ｂの目詰りを防止する目的で、本体部３６の周壁３６ａを外側から覆うようになっていて、例えば、天然繊維，化学繊維，合成繊維などの不織布が使用される。
【００３０】
上部マス部３５は、塩化ビニル樹脂成形品であって、天板部３５ａと、点検筒部３５ｂと、蓋３５ｃとを備えている。
天板部３５ａは、その周縁部が本体部３６の上端面に溶接固定されている。
【００３１】
点検筒部３５ｂは、天板部３５ａの中央部で上方に突出するように設けられ、その周壁に縦樋本体部２１の下端と繋がる配管Ｐ１が接続されるようになっている。
蓋３５ｃは、図示していないが、上記蓋３３と同様に、点検筒部３５ｂに水密にネジ固定できるようになっている。
【００３２】
そして、この雨水浸透マス３ｂは、上記のように、本体部３６の周囲が透水性ｓ−トで覆われているので、下部マス部３４の周囲に礫５の層を設けなくても小孔３６ｂが目詰りすることがない。
なお、筒状をした塩化ビニル樹脂成形品である本体部３６に代えて、積水化学工業株式会社の商品名レインステーション５００等のプレハブ式のものを組み立てて本体部を形成するようにしても構わない。
【００３３】
本発明は、上記の実施の形態に限定されない。例えば、上記の実施の形態では、底が合ったが、無くても構わない。また、底にも透水用の小孔を穿設してもよい。
また、雨水浸透マスを複数埋設する場合、雨水浸透マス同士は、切り離されていても構わないし、有孔管で連結し、有孔管を介しても雨水が地中に浸透する構造にしても構わない。
また、小孔は、マスの上側が小径で、マスの下側になるにつれて大径としても構わない。
【符号の説明】
【００３４】
１  雨水浸透システム
２a，２ｂ，２ｃ，２ｄ，２ｅ  縦樋
２１  縦樋本体部
２１ａ  じょうご下部流出口
２２  分岐縦樋部
３a，３ｂ  雨水浸透マス
３１a，３６a  周壁
３２ａ  点検口
３３，３５ｃ  蓋
Ｗ  雨水
【図１】
2011074563.tif 000003
【図２】
2011074563.tif 000004
【図３】
2011074563.tif 000005
【図４】
2011074563.tif 000006
【図５】
2011074563.tif 000007
【図６】
2011074563.tif 000008
【図７】
2011074563.tif 000009
【図８】
2011074563.tif 000010
【図９】
2011074563.tif 000011